(57)【要約】      （修正有）【課題】主弁によって主水路が開閉される際に、音の発生を防止することができる開閉弁装置を提供すること。【解決手段】主弁座６４に向けて進退移動して主水路５６を開閉する弁部６６と、弁部と一体的に進退移動する弁部支持部６８と、を有する主弁６２と、主弁を境界とする一方の側に形成された背圧室８２であって、背圧室の内部の圧力を主弁に対して閉弁方向の押圧力として作用させる背圧室と、背圧室を形成し、弁部支持部６８の周面に接触することにより、主弁の進退移動をガイドする背圧室壁部７２と、を備え、弁部支持部６８の周面は、主弁の外方へ突出する少なくとも３つの接触凸部６８４を有する開閉弁装置である。【選択図】図３
2017106517.tif 000002
【特許請求の範囲】
【請求項１】
主弁座に向けて進退移動して主水路を開閉する弁部と、前記弁部と一体的に進退移動する弁部支持部と、を有する主弁と、
前記主弁を境界とする一方の側に形成された背圧室であって、背圧室の内部の圧力を前記主弁に対して閉弁方向の押圧力として作用させる背圧室と、
前記背圧室を形成し、前記弁部支持部の周面に接触することにより、前記主弁の進退移動をガイドする背圧室壁部と、を備え、
前記弁部支持部の周面は、前記主弁の外方へ突出する少なくとも３つの接触凸部を有する開閉弁装置。
【請求項２】
前記接触凸部は、前記接触凸部の突出端の位置が変位可能に弾性変形可能である請求項１に記載の開閉弁装置。
【請求項３】
前記弁部支持部の周面は円形状を有し、
前記弁部支持部の周面に接触する前記背圧室壁部の内面は、円筒形状に形成され、
前記接触凸部を含めた前記弁部支持部の周面の直径の最大値は、前記背圧室壁部の内面の内径よりも大きい請求項２に記載の開閉弁装置。
【請求項４】
前記弁部支持部の周面は円形状を有し、前記接触凸部は、前記弁部支持部の周面の周方向において等間隔で配置されている請求項１〜請求項３のいずれかに記載の開閉弁装置。
【請求項５】
前記弁部支持部の周面は円形状を有し、
前記弁部支持部の周面に接触する前記背圧室壁部の内面は、円筒形状に形成され、
前記弁部支持部の周面は、前記主弁の進退移動する方向へ所定の長さで延出し、
前記背圧室壁部の内面の内径は、前記弁部支持部の周面の直径方向における一方の端縁であって前記主弁の進退移動する方向における前進方向の端縁と、前記弁部支持部の周面の直径方向における他方の端縁であって前記主弁の進退移動する方向における後退方向の端縁と、を直線で結ぶ長さよりも小さい請求項１〜請求項４のいずれかに記載の開閉弁装置。
【請求項６】
前記接触凸部は、前記主弁の進退移動する方向へ所定の長さで延出し、前記主弁の進退移動する方向に延びる線状で前記背圧室壁部に対して接触可能である請求項１〜請求項５のいずれかに記載の開閉弁装置。
【請求項７】
前記弁部支持部の周面は円形状を有し、
前記主弁は、前記主弁を貫通し、前記主弁を境界とする他方の側の水を前記背圧室に導入して前記背圧室の圧力を増大させる導入小孔を有し、
前記接触凸部は、前記弁部支持部の周面の半径方向において前記導入小孔に近接した前記弁部支持部の周面の部分に位置している請求項１〜請求項５のいずれかに記載の開閉弁装置。
【発明の詳細な説明】
【技術分野】
【０００１】
本発明は、開閉弁装置に関する。
【背景技術】
【０００２】
従来より、便器装置においては、便器装置の内部に設けられたボールタップ装置により、外部の給水源から供給される洗浄水の洗浄水タンクへの供給と供給停止との切替えが行なわれている。ボールタップ装置は、ダイヤフラム弁により構成される主弁と、背圧室と、を有している。背圧室は、背圧室壁部によって、主弁を境界とする一方の側に形成されている。主弁は、主弁座に向けて進退移動して主水路を開閉する弁部と、弁部と一体的に進退移動する弁部支持部と、を有する。弁部支持部の周面が背圧室壁部に接触することにより、主弁は、主弁座に向けて進退移動するように、背圧室壁部に案内される。
【先行技術文献】
【特許文献】
【０００３】
【特許文献１】特開２０１１−１７９５７６号公報
【発明の概要】
【発明が解決しようとする課題】
【０００４】
主弁によって主水路が開閉される際に、「キュッ」という音が発生することがある。このような音は、主弁座に対してゴム製の弁部が摺動することにより発生すると考えられる。このような音は、室内の便器装置においては、耳障りであり、音が発生しないことが好ましい。
【０００５】
本発明は、主弁によって主水路が開閉される際に、音の発生を防止することができる開閉弁装置を提供することを目的とする。
【課題を解決するための手段】
【０００６】
上記目的を達成するため本発明は、主弁座（例えば、後述の主弁座６４）に向けて進退移動して主水路（例えば、後述の水路５６）を開閉する弁部（例えば、後述のダイヤフラム膜６６）と、前記弁部と一体的に進退移動する弁部支持部（例えば、後述のダイヤフラムホルダ６８）と、を有する主弁（例えば、後述の主弁６２）と、前記主弁を境界とする一方の側に形成された背圧室（例えば、後述の背圧室８２）であって、背圧室の内部の圧力を前記主弁に対して閉弁方向の押圧力として作用させる背圧室と、前記背圧室を形成し、前記弁部支持部の周面に接触することにより、前記主弁の進退移動をガイドする背圧室壁部（例えば、後述のダイヤフラム押え７２）と、を備え、前記弁部支持部の周面は、前記主弁の外方へ突出する少なくとも３つの接触凸部（例えば、後述の接触凸部６８４）を有する開閉弁装置を提供する。
【０００７】
また、前記接触凸部は、前記接触凸部の突出端の位置が変位可能に弾性変形可能であることが好ましい。
【０００８】
また、前記弁部支持部の周面は円形状を有し、前記弁部支持部の周面に接触する前記背圧室壁部の内面は、円筒形状に形成され、前記接触凸部を含めた前記弁部支持部の周面の直径の最大値（例えば、後述の最大値Ｋ）は、前記背圧室壁部の内面の内径（例えば、後述の長さＮ）よりも大きいことが好ましい。
【０００９】
また、前記弁部支持部の周面は円形状を有し、前記接触凸部は、前記弁部支持部の周面の周方向において等間隔で配置されていることが好ましい。
【００１０】
また、前記弁部支持部の周面は円形状を有し、前記弁部支持部の周面に接触する前記背圧室壁部の内面は、円筒形状に形成され、前記弁部支持部の周面は、前記主弁の進退移動する方向へ所定の長さで延出し、前記背圧室壁部の内面の内径（例えば、後述の長さＮ）は、前記弁部支持部の周面の直径方向における一方の端縁であって前記主弁の進退移動する方向における前進方向の端縁と、前記弁部支持部の周面の直径方向における他方の端縁であって前記主弁の進退移動する方向における後退方向の端縁と、を直線で結ぶ長さ（例えば、後述の長さＬ）よりも小さいことが好ましい。
【００１１】
また、前記接触凸部は、前記主弁の進退移動する方向へ所定の長さで延出し、前記主弁の進退移動する方向に延びる線状で前記背圧室壁部に対して接触可能であることが好ましい。
【００１２】
また、前記弁部支持部の周面は円形状を有し、前記主弁は、前記主弁を貫通し、前記主弁を境界とする他方の側の水を前記背圧室に導入して前記背圧室の圧力を増大させる導入小孔（例えば、後述の導入小孔８４）を有し、前記接触凸部は、前記弁部支持部の周面の半径方向において前記導入小孔に近接した前記弁部支持部の周面の部分に位置していることが好ましい。
【発明の効果】
【００１３】
本発明によれば、主弁によって主水路が開閉される際に、音の発生を防止することができる開閉弁装置を提供することを目的とする。
【図面の簡単な説明】
【００１４】
【図１】本発明の一実施形態に係る開閉弁装置１００を有する便器装置１を示す要部断面図である。
【図２】本発明の一実施形態に係る開閉弁装置１００を有するボールタップ装置２２を示す要部断面図である。
【図３】本発明の一実施形態に係る開閉弁装置１００の主弁６２が水路５６を閉じている様子を示す拡大断面図である。
【図４】本発明の一実施形態に係る開閉弁装置１００の主弁６２が水路５６を開いている様子を示す拡大断面図である。
【図５】本発明の一実施形態に係る開閉弁装置１００のダイヤフラムホルダ６８を示す側面図である。
【図６】本発明の一実施形態に係る開閉弁装置１００のダイヤフラムホルダ６８を示す平面図である。
【図７】本発明の一実施形態に係る開閉弁装置１００のダイヤフラムホルダ６８を示す底面図である。
【図８】本発明の他の実施形態に係る、ダイヤフラムホルダ６８Ａを示す平面図である。
【発明を実施するための形態】
【００１５】
以下、本発明の便器装置１の好ましい一実施形態である第１実施形態について、図面を参照しながら説明する。まず、本発明の一実施形態に係る便器装置１の全体構成について、図１を参照しながら説明する。図１は、本発明の一実施形態に係る開閉弁装置１００を有する便器装置１を示す要部断面図である。
【００１６】
本実施形態の便器装置１は、図１に示すように、洗浄タンク１０と、便器部（図示せず）と、を備えており、外部の給水源から供給される洗浄水が、便器部（図示せず）の内部のボールタップ装置２２を通して、便器部（図示せず）の内部のボウル部（図示せず）に供給されるように構成されている。
【００１７】
次に、各部について図２〜図７を参照して詳細に説明する。
図２は、本発明の一実施形態に係る開閉弁装置１００を有するボールタップ装置２２を示す要部断面図である。図３は、本発明の一実施形態に係る開閉弁装置１００の主弁６２が水路５６を閉じている様子を示す拡大断面図である。図４は、本発明の一実施形態に係る開閉弁装置１００の主弁６２が水路５６を開いている様子を示す拡大断面図である。図５は、本発明の一実施形態に係る開閉弁装置１００のダイヤフラムホルダ６８を示す側面図である。図６は、本発明の一実施形態に係る開閉弁装置１００のダイヤフラムホルダ６８を示す平面図である。図７は、本発明の一実施形態に係る開閉弁装置１００のダイヤフラムホルダ６８を示す底面図である。
以下の説明においては、ボールタップ装置２２から洗浄タンク１０のインナタンク１４の内部に貯留されている水の水面へ向う方向を下方向とし、その反対方向を上方向とし、これらを上下方向と定義する。
【００１８】
図２に示すように、洗浄タンク１０は、樹脂製のアウタタンク１２と、その内側に配置された樹脂製のインナタンク１４とを有しており、これらは、２重タンク構造を構成する。洗浄タンク１０の内部には、ボールタップ装置２２が設けられている。ボールタップ装置２２は、インナタンク１４に取り付けられた本体部２４を有しており、本体部２４には、給水管２６が接続されている。給水管２６を通して外部の給水源から供給される洗浄水は、ボールタップ装置２２の後述の給水弁５８（図２等参照）の開弁によって洗浄タンク１０の内部に給水され、また、給水弁５８の閉弁によって給水停止される。
【００１９】
ボールタップ装置２２は、洗浄タンク１０内部の洗浄水の水位に連動して昇降する樹脂製のフロート２８と、フロート２８と給水弁５８とを連繋する樹脂製の連繋アーム３０とを有している。連繋アーム３０は、主として略水平方向に延びるアーム部３２と、アーム部３２の先端から略下方向へ延びる軸部３４とを有している。連繋アーム３０の軸部３４には、フロート２８が環装されて固定されている。
【００２０】
図１に示すように、洗浄タンク１０を構成する壁部には、洗浄ハンドル３６が回転可能に支持されて設けられている。洗浄ハンドル３６には、洗浄タンク１０内部においてＬ字状の作用レバー３８が接続されている。洗浄ハンドル３６に接続されている作用レバー３８の一端部に対する他端部は、鎖４０を介して排水弁（図示せず）に連結されている。排水弁（図示せず）は、洗浄ハンドル３６が回転させられることによって閉弁状態から開弁状態とされ、これにより洗浄タンク１０内部に貯えられている洗浄水は、洗浄タンク１０底部の排出口（図示せず）から便器部（図示せず）に向けて勢い良く排出される。
【００２１】
図２に示すように、本体部２４は、本体ボデー４４を有している。本体ボデー４４は、筒状に形成されており、図２に示す本体ボデー４４の左端部には給水管２６（図１参照）が接続され、本体ボデー４４の右端部には、本体ボデー４４とは別体で構成されて筒状に形成されたソケット状の分岐管４６の左端部が、本体ボデー４４の右端部を外装するように接続されている。分岐管４６の右端部には、補給水管４８が接続されている。
【００２２】
図１に示すように、補給水管４８の先端側は、アダプタを介して洗浄タンク１０内部のオーバーフロー管４２に接続されている。補給水管４８からの補給水は、オーバーフロー管４２内に流入する。本実施形態においては、補給水管４８はゴムチューブにより構成されている。補給水管４８は便器部に補給水を供給する。
【００２３】
図２に示すように、分岐管４６は、吐水口５０と供給口５２とを有している。吐水口５０は、筒状に形成されており、本体ボデー４４からの水を洗浄タンク１０のインナタンク１４内に吐水する。供給口５２は、筒状に形成されており、本体ボデー４４からの水を、手洗吐水管（図示せず）に向けて供給する。本実施形態では、供給口５２には、本体ボデー４４からの水を手洗吐水管（図示せず）に導くための導水管５４（図１参照）の一端側が接続されている。導水管５４は蛇腹管により構成されている。導水管５４の先端側は、手洗吐水管（図示せず）に接続されている。なお、図１においては、説明の便宜上、導水管５４と手洗吐水管（図示せず）とを接続する管部材の図示を省略している。また、図２においては、説明の便宜上、導水管５４、及び、導水管５４と手洗吐水管（図示せず）とを接続する管部材の図示を省略している。
【００２４】
洗浄タンク１０としては、本実施形態のように手洗吐水管（図示せず）を備えるものと、手洗吐水管（図示せず）を備えていないものとがある。洗浄タンク１０が手洗吐水管（図示せず）を備えていない場合には、供給口５２に対して導水管５４が接続されずに供給口５２はそのまま開放される。本実施形態では、洗浄タンク１０が手洗吐水管（図示せず）を備えており、供給口５２に導水管５４が接続される。供給口５２に導水管５４が接続されるか、供給口５２がそのまま開放状態とされるかにより、分岐管４６は、手洗吐水管（図示せず）を備える洗浄タンク１０と、備えていない洗浄タンク１０と、に対して、適宜対応することができる。
【００２５】
なお、洗浄タンク１０が手洗吐水管（図示せず）を備えず、供給口５２に導水管５４が接続されないで開放される場合には、本体ボデー４４からの水は吐水口５０と供給口５２との両方から洗浄タンク１０内に吐水される。この場合には、供給口５２が洗浄タンク１０の内部に水を吐水する第２の吐水口を構成する。導水管５４が供給口５２に接続されない場合には、本体ボデー４４からの水が吐水口５０と供給口５２との両方とから吐水されることから、供給口５２が吐水口５０と同じ方向、且つ、略下方向に向けて開口する。本実施形態では、吐水口５０と供給口５２とは、鉛直下方ではなく、鉛直下方に対して斜め下方に向けて開口する。
【００２６】
図２に示すように、開閉弁装置１００は、本体部２４に設けられて水路（主水路）５６を連通、又は、連通遮断する給水弁５８と、コイルばね９５及びコイルばね９５と一体に構成されたクリーニングピン９７と、を備えている。
【００２７】
給水弁５８は、フロート２８の昇降に伴って連繋アーム３０が軸６０周りに回動することにより、閉弁又は開弁する。具体的には、フロート２８の上昇により連繋アーム３０が軸６０周りに一方へ回動することで、給水弁５８が閉弁し、またフロート２８の下降に伴って連繋アーム３０が軸６０周りに他方へ回動することで、給水弁５８が開弁するように構成されている。
【００２８】
給水弁５８が開弁すると水路５６が連通状態、即ち、開放状態となり、給水管２６からの水が本体ボデー４４から分岐管４６へと流れ込む。そして給水管２６からの水は、分岐管４６の吐水口５０から洗浄タンク１０内に向けて吐水される。また、給水管２６からの水は、本実施形態のように手洗吐水管（図示せず）がある構成の場合には、供給口５２を通じて手洗吐水管（図示せず）に吐水され、手洗吐水管（図示せず）がない構成の場合には、供給口５２を通じて洗浄タンク１０内に吐水される。また、分岐管４６に流れ込んだ水は、補給水管４８を通じてオーバーフロー管４２から便器部へと流れ込み、便器部（図示せず）に対して供給される。
【００２９】
給水弁５８はダイヤフラム式、且つ、パイロット式の弁により構成されている。具体的には、図３に示すように、給水弁５８は、ダイヤフラム弁により構成される主弁６２を有している。主弁６２は、ゴム等の弾性材から成る弁部としてのダイヤフラム膜６６と、ダイヤフラム膜６６よりも硬質の樹脂製の、弁部支持部としてのダイヤフラムホルダ６８とを有している。ダイヤフラム膜６６は、フッ素樹脂により構成された主弁座６４に向けて進退移動して主水路を開閉する。ダイヤフラムホルダ６８は、ダイヤフラム膜６６の中央部分と一体的に進退移動するように構成されている。
【００３０】
具体的には、ダイヤフラム膜６６は、ＥＰＤＭ（エチレン・プロピレン・ジエンゴム）により構成されている。ダイヤフラム膜６６の外周部７０は、厚肉に構成されており、本体ボデー４４と、カップ状をなすダイヤフラム押え７２と、によって、上下方向において挟持されている。この挟持により、ダイヤフラム膜６６の外周部７０は、本体ボデー４４に固定されている。ダイヤフラム膜６６の外周部７０は、シール部として機能して、水路５６と水路５６の外部とを水密に遮断する。
【００３１】
図５等に示すように、ダイヤフラムホルダ６８は、大径被ガイド部６８１と、中径中間部６８６と、小径上部６９１と、上端フランジ部６９６とを有しており、平面視では略円形状に形成されている。
【００３２】
大径被ガイド部６８１は、ダイヤフラムホルダ６８の下端部を構成しており、平面視で略円形状を有している。図５に示すように、ダイヤフラムホルダ６８の大径被ガイド部６８１の周面は、主弁６２の進退移動する方向である上下方向へ所定の長さ（厚さ）Ｍで延出している。大径被ガイド部６８１の上端から下端までの長さＭは、例えば２．２０ｍｍ程度である。大径被ガイド部６８１には、大径被ガイド部６８１の周方向に等間隔で４つの切り欠き状凹部６８２が形成されている。４つの切り欠き状凹部６８２のうちの１つは、図６、図７に示すように、大径被ガイド部６８１の半径方向において、後述の導入小孔８４に近接した大径被ガイド部６８１の周面に位置している。
【００３３】
切り欠き状凹部６８２は、大径被ガイド部６８１の半径方向に直交する方向から見て（図６に示す平面視で）、大径被ガイド部６８１の周方向における略時計回り方向に向って、大径被ガイド部６８１の周縁部の一部に切り込みが入れられて切り欠かれたような形状に形成されている。従って、当該略時計回り方向における切り欠き状凹部６８２の先端部（もっとも奥の部分）から、薄い凸状周縁部分６８３が切り欠き状凹部６８２の開口へ至るまで延びている。凸状周縁部分６８３を含めてダイヤフラムホルダ６８は、樹脂製であるため、凸状周縁部分６８３は、板バネ（片持ちバネ）として機能し、ダイヤフラムホルダ６８の半径方向へ弾性的に変形して後述の接触凸部６８４の突出端の位置が変位するように構成されている。
【００３４】
凸状周縁部分６８３の周面の曲率半径は、凸状周縁部分６８３以外の大径被ガイド部６８１の周面の曲率半径よりも小さい。このため、凸状周縁部分６８３の周面は、大径被ガイド部６８１の周面よりも、僅かに大径被ガイド部６８１の半径方向外方へ突出している。凸状周縁部分６８３の突出端部は、接触凸部６８４を構成し、大径被ガイド部６８１の軸心に平行の方向（図５における上下方向）に所定の長さで、より具体的には、大径被ガイド部６８１の上端から下端に至るまでの長さで延びている。前述のように、接触凸部６８４の突出端の位置は変位するように構成されている。具体的には、接触凸部６８４の突出端の位置は、大径被ガイド部６８１の周面の半径方向において、接触凸部６８４の突出端と大径被ガイド部６８１の中心とを結ぶ長さが変位するように変位可能である。即ち、接触凸部６８４を含む凸状周縁部分６８３の弾性変形の方向は、大径被ガイド部６８１の周面に対する接触凸部６８４の突出量が変わる方向であるダイヤフラムホルダ６８の半径方向としての大径被ガイド部６８１の周面の半径方向に一致する。図６に示す平面視において、接触凸部６８４は、ダイヤフラムホルダ６８の中心位置に対して対称な位置、即ち、直径位置に配置されている。従って、図６における左右方向のダイヤフラムホルダ６８の直径、又は、図６における上下方向のダイヤフラムホルダ６８の直径は、接触凸部６８４を含めたダイヤフラムホルダ６８の周面の直径の最大値Ｋを構成する。
【００３５】
ダイヤフラム押え７２の内面の内径としての長さＮ（図３参照）は、ダイヤフラムホルダ６８の大径被ガイド部６８１の周面の直径方向（直径の最大値Ｋを採る位置における直径方向）における一方の端縁（図５の右側の端縁）であって主弁６２の進退移動する方向における前進方向（上方向）の端縁と、ダイヤフラムホルダ６８の大径被ガイド部６８１の周面の直径方向における他方の端縁（図５の左側の端縁）であって主弁６２の進退移動する方向における後退方向（下方向）の端縁と、を直線で結ぶ長さＬよりも小さい。即ち、大径被ガイド部６８１の直径方向において大径被ガイド部６８１の上端と下端とを結ぶ、接触凸部６８４から接触凸部６８４までの最大距離Ｌは、例えば、２０．３２ｍｍ程度であり、この最大距離は、大径被ガイド部６８１を収容しているダイヤフラム押え７２の内径の長さＮよりも大きい。
【００３６】
更に、大径被ガイド部６８１の直径方向（図６に示す直径の最小値ｋを採る位置における直径方向）において大径被ガイド部６８１の上端と下端とを結ぶ、接触凸部６８４から接触凸部６８４までの最大距離についても、大径被ガイド部６８１を収容しているダイヤフラム押え７２の内径の長さＮよりも大きいことが好ましい。
【００３７】
接触凸部６８４を含めたダイヤフラムホルダ６８の周面の直径の最大値Ｋは、ダイヤフラム押え７２の内面の内径Ｎよりも大きい。このため、接触凸部６８４は、ダイヤフラム押え７２（図３等参照）の内周面に対して接触した状態となっており、給水弁５８が開弁又は閉弁する際のダイヤフラムホルダ６８及びダイヤフラム膜６６の移動の際に、ダイヤフラム押え７２の内周面に接触したままの状態で、主弁６２の進退移動がガイドされる。
【００３８】
中径中間部６８６は、大径被ガイド部６８１よりも外径が小さい略円筒形状に形成されており、大径被ガイド部６８１の上端部に一体成形されて接続され、大径被ガイド部６８１と同軸的な位置関係を有している。中径中間部６８６の上面であって後述の導入小孔８４が形成されている位置には、導入小孔８４を上下方向へ延長するような円筒状のピン筒状部６８８が、上方へ向って延びている。中径中間部６８６の上面を構成する中径中間部６８６の上部の部分は、中径中間部６８６の半径方向内方へ向って所定の位置に至るまで延びている。そして中径中間部６８６は、当該所定の位置において下方へ延び、下端部が閉塞された有底の円筒形状に形成されている。
【００３９】
小径上部６９１は、中径中間部６８６よりも外径が小さい略円筒形状に形成されており、中径中間部６８６の上端部に一体成形されて接続され、中径中間部６８６と同軸的な位置関係を有している。そして、小径上部６９１の内周面は、中径中間部６８６の部分であって下端部が閉塞された有底の円筒形状の部分の内周面と同軸的且つ同一の内径で接続されて、上方において上端フランジ部６９６を貫通し、上方向へ向って開口している。上端フランジ部６９６は、小径上部６９１の外径よりも直径が大きい円板状に形成されており、小径上部６９１の上端部に一体成形されて接続され、小径上部６９１と同軸的な位置関係を有している。以上のような構成のダイヤフラムホルダ６８の中径中間部６８６及び小径上部６９１がダイヤフラム膜６６に覆われるようにして、ダイヤフラムホルダ６８にダイヤフラム膜６６は装着され固定されている。
【００４０】
図３に示すように、背圧室壁部としてのダイヤフラム押え７２は、本体ボデー４４に一体に構成された円筒部７４に対して下方から円筒部７４の内部に挿入されている。円筒部７４には、下方から円筒部７４を外装するように、袋ナット８０が装着されている。円筒部７４の外周面に設けられた雄ねじ部７６に、袋ナット８０の内周面に設けられた雌ねじ部７８が螺合することによって、袋ナット８０が円筒部７４に固定されると共に、袋ナット８０により、ダイヤフラム押え７２が本体ボデー４４の円筒部７４に固定されている。袋ナット８０が円筒部７４に対して上方へねじ込まれることにより、ダイヤフラム押え７２が上方へ押し上げられ、ダイヤフラム押え７２と本体ボデー４４とにより、ダイヤフラム膜６６の外周部７０が所定の締代で弾性圧縮状態に締め付けられる。
【００４１】
また、ダイヤフラム押え７２は、上下方向に軸心が指向し上端が開口し下端が閉塞された円筒形状に形成されて背圧室形成部材を構成し、従ってダイヤフラム押え７２の内周面は、円筒形状に形成されている。ダイヤフラム押え７２は、ダイヤフラム膜６６を境界とする一方の側、即ち、ダイヤフラム弁により構成される主弁６２の下側に背圧室８２を形成している。背圧室８２の内部の圧力は、主弁６２に対して上方向である閉弁方向の押圧力として作用する。背圧室８２を形成しているダイヤフラム押え７２の内面のうちの側面の部分は、大径被ガイド部６８１の接触凸部６８４に接触することにより、主弁６２の上下方向への進退移動をガイドする。
【００４２】
主弁６２には、主弁６２の中心から偏心した位置において、水路５６における１次側（ダイヤフラム膜６６を境界とする他方の側）と背圧室８２（ダイヤフラム膜６６を境界とする一方の側）とを連通させる貫通孔により構成される導入小孔８４が形成されている。導入小孔８４は、水路５６における１次側の水を背圧室８２に流入させて背圧室８２の圧力を増大させる。導入小孔８４には、コイルばね９５の上部から上方へ延びるクリーニングピン９７が挿入されている。クリーニングピン９７の上端部はピン筒状部６８８（図５参照）の上端よりも上方へ突出して延びている。クリーニングピン９７は、主弁６２が進退移動する際に、導入小孔８４内を相対摺動運動してクリーニング作用を発揮し、導入小孔８４内に微細なゴミや異物が詰まることを防止する。ダイヤフラム押え７２の中心部には、ダイヤフラム押え７２を貫通する水抜水路としてのパイロット水路８６が形成されている。パイロット水路８６は、背圧室８２内の水を排出して背圧室８２の圧力を減少させる。
【００４３】
連繋アーム３０のアーム部３２の基端部にはパイロット弁８８が設けられている。パイロット弁８８のシール部９０の上部が、パイロット弁座９２の下部に着座することにより、パイロット水路８６は閉鎖される。
【００４４】
次に、給水弁５８の進退移動について説明する。
図３に示すように給水弁５８が閉弁状態のときに、フロート２８（図２等参照）の下降により連繋アーム３０が軸６０周りに回動して、パイロット弁８８がパイロット弁座９２から下方向へ離間して開弁すると、背圧室８２の内部の水がパイロット水路８６を通じて流出し、背圧室８２の圧力が減少する。これにより水路５６における１次側（図４の上側）の圧力が背圧室８２の圧力よりも高くなり、主弁６２が下方向へ移動して主弁座６４から離間して、図４に示すように開弁する。
【００４５】
この主弁６２の移動の際に、主弁６２は、主弁６２の軸心が上下方向に対して交差する姿勢となるように傾こうとすることがあるが、そのときには大径被ガイド部６８１の接触凸部６８４が弾性変形しながらダイヤフラム押え７２の内面に接触する。この際、接触凸部６８４が弾性変形して、接触凸部６８４が背圧室壁部としてのダイヤフラム押え７２の内周面に対して点接触ではなく線接触する。即ち、接触凸部６８４は、主弁６２の進退移動する方向に延びる線状にダイヤフラム押え７２の内面に対して接触する。そして、弾性変形してダイヤフラム押え７２の内周面に対して線接触している接触凸部６８４が、初期状態の形状に弾性的に戻ろうとする力により、主弁６２が傾くことが抑えられ、主弁６２が傾いていない状態、即ち、主弁６２の軸心（ダイヤフラムホルダ６８の軸心）が上下方向に平行な位置関係となる状態へ戻される。この結果、主弁６２が傾いた状態となって、ダイヤフラム膜６６の上面が主弁座６４に当接している状態から離間する状態となることを抑えることができる。そして、主弁６２が傾いた状態となることによって、ダイヤフラム膜６６の上面が主弁座６４に対して摺動して、「キュッ」という音が発生することが抑えられる。
【００４６】
主弁６２が開弁することで水路５６が連通状態となり、本体ボデー４４から分岐管４６及び補給水管４８に向けて水が流れ込む。そして吐水口５０，供給口５２から水が吐出され、更に補給水管４８を通じてオーバーフロー管４２から便器部内に補給水が供給される。
【００４７】
一方、フロート２８の上昇に連動して連繋アーム３０が軸６０周りに先ほどとは逆方向へ回動してゆき、洗浄タンク１０内の水が、予め設定した満水状態になったときに、パイロット弁８８のシール部９０がパイロット弁座９２に着座して閉弁し、背圧室８２からの水の流出が停止する。これにより導入小孔８４を通して背圧室８２へ水が流入することにより、背圧室８２の圧力が上昇し、圧力上昇によって主弁６２が上方向へ移動して主弁座６４に着座して閉弁する。これにより、水路５６の水の流れが停止し、洗浄タンク１０及び手洗吐水管（図示せず）への給水が停止する。
【００４８】
この主弁６２の移動の際に、主弁６２は、主弁６２の軸心が上下方向に対して交差する姿勢となるように傾こうとするが、そのときには大径被ガイド部６８１の接触凸部６８４が弾性変形しながらダイヤフラム押え７２の内面に接触する。この際、開弁時と同様に、接触凸部６８４が弾性変形して、接触凸部６８４は、主弁６２の進退移動する方向に延びる線状にダイヤフラム押え７２の内面に対して接触する。そして、弾性変形してダイヤフラム押え７２の内周面に対して線接触している接触凸部６８４が、初期状態の形状に弾性的に戻ろうとする力により、主弁６２が傾くことが抑えられ、主弁６２が傾いていない状態へ戻される。この結果、主弁６２が傾いた状態でダイヤフラム膜６６の上面が、主弁座６４に当接することを抑えることができる。そして、このように傾いた状態で主弁６２が主弁座６４に当接した後に、主弁６２の軸心が上下方向に対して平行な姿勢に戻ろうとする際に、ダイヤフラム膜６６の上面が主弁座６４に対して摺動して、「キュッ」という音が発生することが抑えられる。
【００４９】
上記構成の実施形態による、開閉弁装置によれば、以下のような効果を得ることができる。
開閉弁装置１００は、主弁座６４に向けて進退移動して主水路としての水路５６を開閉する弁部（ダイヤフラム膜６６）と、ダイヤフラム膜６６と一体的に進退移動する弁部支持部（ダイヤフラムホルダ６８）と、を有する主弁６２と、主弁６２を境界とする一方の側に形成された背圧室８２であって、背圧室８２の内部の圧力を主弁６２に対して閉弁方向の押圧力として作用させる背圧室８２と、背圧室８２を形成し、ダイヤフラムホルダ６８の周面に接触することにより、主弁６２の進退移動をガイドする背圧室壁部を構成するダイヤフラム押え７２と、を備える。ダイヤフラムホルダ６８の周面は、主弁６２の外方へ突出する４つの接触凸部６８４を有する。
【００５０】
この構成により、主弁６２が進退移動する際に、接触凸部６８４が背圧室壁部としてのダイヤフラム押え７２の内周面に適宜接触し、主弁６２が傾くこと、即ち、主弁６２の軸心方向が進退移動する方向に平行ではなくなり交差する方向となるような姿勢を主弁６２がとることになることを抑えることができる。この結果、主弁６２が傾いた状態で主弁座６４に当接した後に、主弁６２の軸心方向が進退移動する方向に平行となるような姿勢に戻る際に、又は、主弁６２が傾いていない状態で主弁座６４に当接した後に主弁６２が傾き始める際に、ダイヤフラム膜６６の上面が主弁座６４に対して摺動して、音が発生することを抑えることができる。
【００５１】
また、接触凸部６８４は、接触凸部の突出端の位置が変位可能に弾性変形可能である。そして、接触凸部６８４を含む凸状周縁部分６８３の弾性変形の方向は、大径被ガイド部６８１の周面に対する接触凸部６８４の突出量が変わる方向であるダイヤフラムホルダ６８の半径方向としての大径被ガイド部６８１の周面の半径方向に一致する。この構成により、主弁６２が進退移動する際に、接触凸部６８４が背圧室壁部としてのダイヤフラム押え７２の内周面に対して接触したときに弾性変形して、接触による振動や衝撃を吸収することができる。このため、主弁６２が傾こうとした場合であっても、接触凸部６８４が弾性変形して、初期状態の形状に弾性的に戻ろうとする力により、主弁６２が傾くことを抑えることができ、主弁６２が傾いていない状態へ戻すことができる。この結果、主弁６２の進退移動を支障なく行うことができる。
【００５２】
また、弁部支持部としてのダイヤフラムホルダ６８の周面は円形状を有し、ダイヤフラムホルダ６８の周面に接触する背圧室壁部としてのダイヤフラム押え７２の内面は、円筒形状に形成されている。そして、接触凸部６８４を含めたダイヤフラムホルダ６８の周面の直径の最大値Ｋは、ダイヤフラム押え７２の内面の内径Ｎよりも大きい。
【００５３】
この構成により、接触凸部６８４がダイヤフラム押え７２の内面に接触したままの状態で、主弁６２の進退移動がガイドされる。このため、主弁６２を傾きにくくすることができる。
【００５４】
また、弁部支持部としてのダイヤフラムホルダ６８の周面は円形状を有し、接触凸部６８４は、ダイヤフラムホルダ６８の周面の周方向において等間隔で配置されている。この構成により、主弁６２が進退移動する際に、接触凸部６８４が背圧室壁部としてのダイヤフラム押え７２の内周面にバランス良く接触し、主弁６２が大きく傾くことを防止することができる。特に、ダイヤフラムホルダ６８の周面の周方向において等間隔で４つ配置されているため、バランスよく主弁６２の姿勢を安定させることができる。
【００５５】
また、弁部支持部としてのダイヤフラムホルダ６８の周面は円形状を有し、弁部支持部としてのダイヤフラムホルダ６８の周面に接触する背圧室壁部としてのダイヤフラム押え７２の内面は、円筒形状に形成され、ダイヤフラムホルダ６８の大径被ガイド部６８１の周面は、主弁６２の進退移動する方向である上下方向へ所定の長さＭで延出している。ダイヤフラム押え７２の内面の内径としての長さＮは、ダイヤフラムホルダ６８の大径被ガイド部６８１の周面の直径方向における一方の端縁（図５の右側の端縁）であって主弁６２の進退移動する方向における前進方向（上方向）の端縁と、ダイヤフラムホルダ６８の大径被ガイド部６８１の周面の直径方向における他方の端縁（図５の左側の端縁）であって主弁６２の進退移動する方向における後退方向（下方向）の端縁と、を直線で結ぶ長さＬよりも小さい。
【００５６】
この構成により、主弁６２が傾きかけても、ダイヤフラム押え７２の内面に、ダイヤフラムホルダ６８の大径被ガイド部６８１の周面が当接するため、主弁６２がそれ以上傾くことを防止することができる。
【００５７】
また、接触凸部６８４は、主弁６２の進退移動する方向へ所定の長さで延出し、主弁６２の進退移動する方向に延びる線状に背圧室壁部としてのダイヤフラム押え７２の内周面に対して接触可能である。この構成により、主弁６２が進退移動する際に、接触凸部６８４が背圧室壁部としてのダイヤフラム押え７２の内周面に対して点接触せずに線接触することができる。この線接触における線の延びる方向は、主弁６２の進退移動する方向に一致しているため、線接触により主弁６２が傾くことを抑える力を発生させることができる。
【００５８】
また、弁部支持部としてのダイヤフラムホルダ６８の周面は円形状を有し、主弁６２は、主弁６２を貫通し、主弁６２を境界とする他方の側である水路５６における１次側の水を背圧室８２に導入して背圧室８２の圧力を増大させる導入小孔８４を有する。接触凸部６８４は、弁部支持部としてのダイヤフラムホルダ６８の周面の半径方向において導入小孔８４に近接したダイヤフラムホルダ６８の周面の部分に位置している。
【００５９】
この構成により、主弁６２が進退移動する際に、導入小孔８４において水が流れることにより、主弁６２が傾く力が生ずるが、導入小孔８４に近接して配置された接触凸部６８４が、背圧室壁部としてのダイヤフラム押え７２の内周面に対して接触することにより、主弁６２が傾くことを抑えることができる。
【００６０】
次に、本発明の他の実施形態である第２実施形態について、図８を参照しながら説明する。図８は、本発明の第２実施形態に係る、ダイヤフラムホルダ６８Ａを示す平面図である。
【００６１】
第２実施形態においては、大径被ガイド部６８１Ａの形状が第１実施形態における大径被ガイド部６８１形状とは異なる。第１実施形態と同様の構成については、同一の符号を用いて図示し、説明を省略する。
【００６２】
図８に示すように、大径被ガイド部６８１Ａの周面には、切り欠き状凹部６８２は形成されておらず、平面視で円形に形成された周面から、弧状に周面の外方へ向って突出する接触凸部６８４Ａが設けられている。接触凸部６８４Ａは、ダイヤフラムホルダ６８Ａの周面の周方向において等間隔で配置されており、大径被ガイド部６８１Ａと同一の樹脂により構成され、大径被ガイド部６８１Ａと一体成形されている。従って、第１実施形態における接触凸部６８４と比較して、接触凸部６８４Ａは弾性変形しにくい。ダイヤフラムホルダ６８Ａの軸方向における大径被ガイド部６８１Ａの高さは、第１実施形態におけるダイヤフラムホルダ６８の軸方向における大径被ガイド部６８１の高さよりも短く構成されており、このため、同方向における接触凸部６８４Ａの長さも短く構成されている。
【００６３】
接触凸部６８４Ａは、ダイヤフラム押え７２（図３等参照）の内周面に対して僅かなクリアランスを介して対向しており、給水弁５８が開弁又は閉弁する際のダイヤフラムホルダ６８Ａ及びダイヤフラム膜６６の移動の際に、ダイヤフラム押え７２の内周面に接触する。
【００６４】
本発明は上記実施形態に限定されるものではなく、本発明の目的を達成できる範囲での変形、改良等は本発明に含まれる。
例えば、主弁、背圧室、背圧室壁部等の構成は、上記実施形態における主弁６２、背圧室８２、ダイヤフラム押え７２等の構成に限定されない。例えば、接触凸部６８４は、ダイヤフラムホルダ６８の周面の周方向において等間隔で４つ設けられていたが、これに限定されない。弁部支持部の周面は、主弁の外方へ突出する少なくとも３つの接触凸部を有していればよい。また、例えば、接触凸部６８４は、大径被ガイド部６８１に一体成形されて設けられていたが、これに限定されない。例えば、接触凸部は、大径被ガイド部の周面に、別の部材が固定されていてもよい。
【符号の説明】
【００６５】
５６…水路（主水路）
６２…主弁
６４…主弁座
６６…ダイヤフラム膜（弁部）
６８…ダイヤフラムホルダ（弁部支持部）
７２…ダイヤフラム押え（背圧室壁部）
８２…背圧室
８４…導入小孔
１００…開閉弁装置
６８４…接触凸部
【図１】
2017106517.tif 000003
【図２】
2017106517.tif 000004
【図３】
2017106517.tif 000005
【図４】
2017106517.tif 000006
【図５】
2017106517.tif 000007
【図６】
2017106517.tif 000008
【図７】
2017106517.tif 000009
【図８】
2017106517.tif 000010